(57)【特許請求の範囲】
【請求項１】
廃棄物をガス化溶融処理する廃棄物処理設備において、発生した乾留ガスと炭化物とを加熱燃焼空気と共に供給して燃焼させる乾留ガスと炭化物の混合処理バーナーであって、炭化物供給シュートから供給される炭化物と加熱燃焼空気ノズルから供給される加熱燃焼空気とを混合して先端から噴出させる混合ノズルの周囲に、乾留ガスを流入旋回させ混合ノズルの先端周囲から噴出させる乾留ガス旋回コーンを設けたことを特徴とする乾留ガスと炭化物の混合処理バーナー。
【発明の詳細な説明】
【０００１】
【発明の属する技術分野】
本発明は、特別管理を含む一般廃棄物や産業廃棄物をガス化溶融処理する廃棄物処理設備で用いられる、乾留ガスと炭化物の混合処理バーナーに関する。
【０００２】
【従来の技術】
従来、一般廃棄物や産業廃棄物等は、焼却、埋め立てによる処理が行われてきたが、ダイオキシン等の有害物の発生や埋め立て用の適地が得られなくなっていることから、近年、廃棄物のガス化溶融処理が注目されている。ガス化溶融処理では、廃棄物を熱分解して乾留ガスと炭化物に変えて高温で燃焼させ、焼却灰は溶融してスラグとして回収する。
【０００３】
廃棄物をガス化溶融処理する廃棄物処理設備によれば、ダイオキシン等の有害物の排出抑制や焼却灰の減容・再利用、さらに鉄やアルミ等の資源物の回収、エネルギーの有効利用などが可能となる。
廃棄物をガス化溶融処理する廃棄物処理設備には、廃棄物を分解ガス化炉で熱分解して乾留ガスと炭化物を発生させ、炭化物は溶融炉で燃焼させ、乾留ガスはガス燃焼炉で燃焼させるもの、廃棄物を分解溶融炉で熱分解して乾留ガスと炭化物を発生させ、炭化物は分解溶融炉で燃焼させ乾留ガスはガス燃焼炉で燃焼させるもの、廃棄物を分解ガス化炉で熱分解して乾留ガスと炭化物を発生させ、乾留ガスと炭化物を溶融炉で燃焼させるもの等、種々の型式があるが、いずれの場合も乾留ガス、炭化物、及び燃焼空気は、それぞれ個別に炉内に供給して燃焼させている。
【０００４】
乾留ガスと炭化物とを別個の炉で燃焼させて処理する廃棄物処理設備は、設備費が高価となり、各々の炉に補助燃料が必要になるので、ランニングコストも増加する。
これに対し、乾留ガスと炭化物とを一つの炉で燃焼させて処理する廃棄物処理設備は、設備費、ランニングコストを低減できる。
【０００５】
【発明が解決しようとする課題】
しかし、乾留ガスと炭化物とを一つの炉で燃焼させて処理する廃棄物処理設備でも、乾留ガスと炭化物と燃焼空気とは個別に炉内へ供給されるので、乾留ガスと燃焼空気、炭化物と燃焼空気の混合が不十分で不完全燃焼を生じたり、炉内温度分布の不均一を生じることがある。
【０００６】
本発明は、廃棄物をガス化溶融処理する廃棄物処理設備における上記問題を解決するものであって、乾留ガスと炭化物と燃焼空気とを一つのバーナーで効率よく混合して燃焼させ、安定した燃焼と均一な炉内温度分布を得ることのできる乾留ガスと炭化物の混合処理バーナーを提供することを目的とする。
【０００７】
【課題を解決するための手段】
本発明の乾留ガスと炭化物の混合処理バーナーは、廃棄物をガス化溶融処理する廃棄物処理設備において、発生した乾留ガスと炭化物とを加熱燃焼空気と共に供給して燃焼させるものであって、炭化物供給シュートから供給される炭化物と加熱燃焼空気ノズルから供給される加熱燃焼空気とを混合して先端から噴出させる混合ノズルの周囲に、乾留ガスを流入旋回させ混合ノズルの先端周囲から噴出させる乾留ガス旋回コーンを設けることにより上記の課題を解決している。
【０００８】
廃棄物をガス化溶融処理する廃棄物処理設備において、発生した炭化物は混合処理バーナーの炭化物供給シュートから混合ノズルに供給される。同時に混合ノズルには加熱燃焼空気ノズルから加熱燃焼空気が供給され、ベンチュリ効果によって炭化物と加熱燃焼空気とが混合されて混合ノズルの先端から噴出する。
一方、乾留ガスは、乾留ガス旋回コーンに供給される。乾留ガス旋回コーンに流入した乾留ガスは、旋回流となって混合ノズルの先端周囲から噴出するので、混合処理バーナーの出口において炭化物と加熱燃焼空気との混合物と衝突混合される。
【０００９】
このように、混合燃焼効果の悪い炭化物を加熱燃焼空気と混合ノズルで予備混合し、この混合物を混合処理バーナーの出口で着火性のよい乾留ガスと混合して燃焼させることにより、安定した燃焼を行うことができ、均一な炉内温度分布が得られる。
【００１０】
【発明の実施の形態】
図１は、本発明の実施の一形態である乾留ガスと炭化物の混合処理バーナーの縦断面図、図２は乾留ガスと炭化物の混合処理バーナーの平面図、図３は乾留ガスと炭化物の混合処理バーナーの底面図、図４は乾留ガスと炭化物の混合処理バーナーの混合作用の説明図である。
【００１１】
この混合処理バーナー１は、混合ノズル２と、混合ノズル２を中心としてその周囲に設けられた乾留ガス旋回コーン３とを備えており、廃棄物をガス化溶融処理する廃棄物処理設備において、乾留ガスと炭化物とを燃焼させる炉に設けて使用される。
混合ノズル２は円筒状で先端部に円錐形の分散板４、後端部に加熱燃焼空気ノズル５が設けられており、加熱燃焼空気ノズル５の先端位置付近の混合ノズル２の側面には炭化物供給シュート６の先端が開口している。
【００１２】
乾留ガス旋回コーン３は、上部が円筒状、下部が漏斗状で、上部外周面には接線方向に乾留ガスＧを流入させるガス供給管７が設けられている。
廃棄物をガス化溶融処理する廃棄物処理設備において、発生した炭化物Ｃは、混合処理バーナー１の炭化物供給シュート６から混合ノズル２に供給される。同時に混合ノズル２には加熱燃焼空気ノズル５から加熱燃焼空気Ａが供給され、加熱燃焼空気ノズル５の先端部のベンチュリ効果によって炭化物Ｃと加熱燃焼空気Ａが混合され、混合ノズル２の先端部の分散板４に衝突してその周囲から炭化物Ｃと加熱燃焼空気Ａの混合物が噴出する。
【００１３】
一方、乾留ガスＧは、ガス供給管７から乾留ガス旋回コーン３の上部に供給される。乾留ガスＧは、乾留ガス旋回コーン３に対して接線方向に流入し、乾留ガス旋回コーン３内で混合ノズル２を中心とする旋回流となって混合ノズル２の先端周囲から噴出するので、混合処理バーナーの出口８において炭化物Ｃと加熱燃焼空気Ａとの混合物と衝突混合される。
【００１４】
このように、混合燃焼効果の悪い炭化物Ｃを加熱燃焼空気Ａと混合ノズル２で予備混合し、この混合物を混合処理バーナー１の出口８で着火性のよい乾留ガスＧと混合して燃焼させることにより、安定した燃焼を行うことができ、均一な炉内温度分布が得られる。
【００１５】
【発明の効果】
以上説明したように、本発明の乾留ガスと炭化物の混合処理バーナーは、廃棄物をガス化溶融処理する廃棄物処理設備において、乾留ガスと炭化物と燃焼空気とを一つのバーナーで効率よく混合して燃焼させ、安定した燃焼と均一な炉内温度分布を得ることができる。
【図面の簡単な説明】
【図１】本発明の実施の一形態である乾留ガスと炭化物の混合処理バーナーの縦断面図である。
【図２】乾留ガスと炭化物の混合処理バーナーの平面図である。
【図３】乾留ガスと炭化物の混合処理バーナーの底面図である。
【図４】乾留ガスと炭化物の混合処理バーナーの混合作用の説明図である。
【符号の説明】
１      混合処理バーナー
２      混合ノズル
３      乾留ガス旋回コーン
４      分散板
５      加熱燃焼空気ノズル
６      炭化物供給シュート
７      ガス供給管
Ａ      加熱燃焼空気
Ｃ      炭化物
Ｇ      乾留ガス
【図１】
0003992879.tif 000002
【図２】
0003992879.tif 000003
【図３】
0003992879.tif 000004
【図４】
0003992879.tif 000005